(57)【要約】【課題】操縦安定性を確保しつつ、ピッチノイズを低減することができる空気入りタイヤを提供する。【解決手段】車両に対する装着の向きが指定された空気入りタイヤにおいて、一対のショルダー主溝３３，３４のタイヤ幅方向外側ＷＤｏに形成された一対のショルダー陸部３８，３９が、タイヤ周方向ＣＤに対して交差する方向に延びる複数のスリット４３，４８と、タイヤ周方向ＣＤで隣り合うスリット４３，４８の間に設けられたサイプ４４，４９とを備える。一対のショルダー陸部３８，３９は、ピッチ長の異なる複数種類の繰り返し要素を備え、最もピッチ長の短い繰り返し要素５５ｅ，５６ｅに設けられたサイプ４４，４９の数を、最もピッチ長の長い繰り返し要素５５ａ，５６ａに設けられたサイプ４４，４９の数より少なく設定し、車両外側に位置するショルダー陸部３８に設けられたサイプ４４の数を、車両内側に位置するショルダー陸部３９に設けられたサイプ４９より少なく設定する。【選択図】        図２
2020093658.tif 000002
【特許請求の範囲】
【請求項１】
タイヤ周方向に延びる複数の主溝と、前記主溝により区画された複数の陸部と、をトレッド部に備え、車両に対する装着の向きが指定された空気入りタイヤにおいて、
前記主溝は、タイヤ幅方向外側に設けられた一対のショルダー主溝を備え、
前記陸部は、前記一対のショルダー主溝のタイヤ幅方向外側に形成された一対のショルダー陸部を備え、
前記一対のショルダー陸部は、
タイヤ周方向に対して交差する方向に延びる複数のスリットと、
前記複数のスリットにより区画された複数の陸部要素をタイヤ周方向に並べてなる陸部要素列と、
前記陸部要素に設けられ、前記スリットより溝幅が狭い複数のサイプと、を備え、
前記陸部要素と当該陸部要素にタイヤ周方向の一方で隣り合うスリットとからなる繰り返し要素のタイヤ周方向長さをピッチ長とすると、前記陸部要素列は、前記ピッチ長が異なる複数種類の前記繰り返し要素をタイヤ周方向に並べてなり、
最もピッチ長の短い繰り返し要素を構成する陸部要素に設けられたサイプの数が、最もピッチ長の長い繰り返し要素を構成する陸部要素に設けられたサイプの数より少なく、
車両外側に位置する前記ショルダー陸部に設けられた前記サイプの数が、車両内側に位置する前記ショルダー陸部に設けられた前記サイプの数より少ない空気入りタイヤ。
【請求項２】
タイヤ１周分の前記繰り返し要素の数をピッチ数、タイヤ１周分のタイヤ周方向長さを前記ピッチ数で除した長さを平均ピッチ長とすると、
前記平均ピッチ長より短いピッチ長の繰り返し要素を構成する陸部要素に設けられたサイプの数が、前記平均ピッチ長より長いピッチ長の繰り返し要素を構成する陸部要素に設けられたサイプの数より少ない請求項１に記載の空気入りタイヤ。
【請求項３】
前記複数のサイプのタイヤ幅方向内側端が、前記複数のスリットの前記タイヤ幅方向内側端よりタイヤ幅方向内側に位置する請求項１又は２に記載の空気入りタイヤ。
【請求項４】
前記複数のサイプのタイヤ幅方向内側端から前記複数のスリットの前記タイヤ幅方向内側端までのタイヤ幅方向の長さが３ｍｍ以上である請求項３に記載の空気入りタイヤ。
【請求項５】
前記一対のショルダー陸部は、前記ショルダー主溝に隣接して設けられ、前記スリット及び前記サイプにより分断されることなくタイヤ周方向に連続して延びる連続部を備える請求項１〜４のいずれか１項に記載の空気入りタイヤ。
【請求項６】
前記連続部のタイヤ幅方向に沿った長さＡと、接地幅Ｗとの比Ａ／Ｗが０．０５以上０．１５以下である請求項５に記載の空気入りタイヤ。
【発明の詳細な説明】
【技術分野】
【０００１】
本発明は、空気入りタイヤに関する。
【背景技術】
【０００２】
タイヤの騒音として、トレッド部が接地する際に路面を叩く打撃音がある。タイヤの踏み込み時や蹴り出し時において、タイヤが路面に接地するときの接地形状とトレッドパターンとが合致するタイミングが一定であると、打撃音のピークが目立つ。例えばタイヤ周方向においてトレッドパターンのピッチ長が一定であると、ピッチノイズのピークが高くなりやすい。
【０００３】
従来、左右一対のショルダー陸部に異なる数のサイプを設けた空気入りタイヤが知られている（特許文献１参照）。
【先行技術文献】
【特許文献】
【０００４】
【特許文献１】特開２０１２−２１８５９６号公報
【発明の概要】
【発明が解決しようとする課題】
【０００５】
上記特許文献１のように、左右一対のショルダー陸部においてサイプの数を異ならせることで、ピッチピークを分散させてピッチノイズを低減することができるが、ピッチノイズの低減に対する要求が高く、更なる改善が求められている。
【０００６】
これに対して、一方のショルダー陸部に多くのサイプを追加して、左右のショルダー陸部に設けるサイプの数の差を大きくすることが考えられる。しかしながら、トレッドゴムに設けるサイプの数を増やすと陸部剛性が低下するため、サイプを追加したショルダー陸部が大きく倒れ込み、操縦安定性が低下しやすくなる。
【０００７】
本発明は、上記の点に鑑み、操縦安定性を確保しつつ、ピッチノイズを低減することができる空気入りタイヤを提供することを目的とする。
【課題を解決するための手段】
【０００８】
本発明の空気入りタイヤは、タイヤ周方向に延びる複数の主溝と、前記主溝により区画された複数の陸部と、をトレッド部に備え、車両に対する装着の向きが指定された空気入りタイヤにおいて、前記主溝は、タイヤ幅方向外側に設けられた一対のショルダー主溝を備え、前記陸部は、前記一対のショルダー主溝のタイヤ幅方向外側に形成された一対のショルダー陸部を備え、前記一対のショルダー陸部は、タイヤ周方向に対して交差する方向に延びる複数のスリットと、前記複数のスリットにより区画された複数の陸部要素をタイヤ周方向に並べてなる陸部要素列と、前記陸部要素に設けられ、前記スリットより溝幅が狭い複数のサイプと、を備え、前記陸部要素と当該陸部要素にタイヤ周方向の一方で隣り合うスリットとからなる繰り返し要素のタイヤ周方向長さをピッチ長とすると、前記陸部要素列は、前記ピッチ長が異なる複数種類の前記繰り返し要素をタイヤ周方向に並べてなり、最もピッチ長の短い繰り返し要素を構成する陸部要素に設けられたサイプの数が、最もピッチ長の長い繰り返し要素を構成する陸部要素に設けられたサイプの数より少なく、車両外側に位置する前記ショルダー陸部に設けられた前記サイプの数が、車両内側に位置する前記ショルダー陸部に設けられた前記サイプの数より少ないものである。
【０００９】
本発明の好ましい態様において、タイヤ１周分の前記繰り返し要素の数をピッチ数、タイヤ１周分のタイヤ周方向長さを前記ピッチ数で除した長さを平均ピッチ長とすると、前記平均ピッチ長より短いピッチ長の繰り返し要素を構成する陸部要素に設けられたサイプの数が、前記平均ピッチ長より長いピッチ長の繰り返し要素を構成する陸部要素に設けられたサイプの数より少なくてもよい。
【００１０】
本発明の他の好ましい態様において、前記複数のサイプのタイヤ幅方向内側端が、前記複数のスリットの前記タイヤ幅方向内側端よりタイヤ幅方向内側に位置してもよい。
【００１１】
本発明の他の好ましい態様において、前記複数のサイプのタイヤ幅方向内側端から前記複数のスリットの前記タイヤ幅方向内側端までのタイヤ幅方向の長さが３ｍｍ以上であってもよい。
【００１２】
本発明の他の好ましい態様において、前記一対のショルダー陸部は、前記ショルダー主溝に隣接して設けられ、前記スリット及び前記サイプにより分断されることなくタイヤ周方向に連続して延びる連続部を備えてもよい。この場合において、前記連続部のタイヤ幅方向に沿った長さＡと、接地幅Ｗとの比Ａ／Ｗが０．０５以上０．１５以下であってもよい。
【発明の効果】
【００１３】
本発明によれば、操縦安定性を確保しつつ、ピッチノイズを低減することができる。
【図面の簡単な説明】
【００１４】
【図１】本発明の第１実施形態に係る空気入りタイヤの断面図。
【図２】図１の空気入りタイヤのトレッド部の平面図。
【図３】本発明の変更例の空気入りタイヤのトレッド部の平面図。
【図４】比較例１の空気入りタイヤのトレッド部の平面図
【発明を実施するための形態】
【００１５】
以下、本発明の一実施形態について図面を参照して説明する。
【００１６】
なお、以下の説明において、タイヤ接地時とは、空気入りタイヤを正規リムにリム組みし、正規内圧を充填した状態でタイヤを平坦な路面に垂直に置き、正規荷重を加えた時のことである。接地面とは、タイヤ接地時において、空気入りタイヤと路面とが接触する面のことである。接地端とは、タイヤ接地時において、路面に接地するトレッド面のタイヤ幅方向端部のことである。接地幅とは、タイヤ幅方向両側の接地端の幅（間隔）のことである。サイプとは、タイヤ接地時に接地面への開口部が閉じる溝のことであり、例えば、幅が２ｍｍ未満の狭い溝のことを意味する。周方向溝及びスリットは、サイプより幅が広く、タイヤ接地時に接地面への開口部が閉じない溝のことであり、例えば、幅が２ｍｍ以上の溝を意味する。
【００１７】
また、以下の説明における空気入りタイヤの特徴や各種寸法は、特に記載が無い場合は、正規リムに装着され正規内圧が充填された空気入りタイヤの無負荷状態でのものである。
【００１８】
ここで、正規リムとは、ＪＡＴＭＡ規格における「標準リム」、ＴＲＡ規格における「Design Rim」、又はＥＴＲＴＯ規格における「Measuring Rim」のことである。また、正規内圧とは、ＪＡＴＭＡ規格における「最高空気圧」、ＴＲＡ規格における「TIRE LOAD LIMITS AT VARIOUS COLD INFLATION PRESSURES」の最大値、又はＥＴＲＴＯ規格における「INFLATION PRESSURE」のことである。正規荷重とは、ＪＡＴＭＡ規格における「最大負荷能力」、ＴＲＡ規格における「TIRE LOAD LIMITS AT VARIOUS COLD INFLATION PRESSURES」の最大値、又はＥＴＲＴＯ規格における「LOAD CAPACITY」のことである。
【００１９】
図１及び図２に示す本発明の一実施形態に係る空気入りタイヤは、左右一対のビード部１と、ビード部１からタイヤ径方向外方に延びる左右一対のサイドウォール部２と、サイドウォール部２のタイヤ径方向外方端同士を繋いで接地面を構成するトレッド部３とを備える。この空気入りタイヤは、車両への装着の向きが指定されたタイヤであり、すなわち、車両に装着する際の車両外側に装着される面と車両内側に装着される面とが予め定められている。図１及び図２の左側が車両装着姿勢において車両外側に配置され、図１の右側が車両装着姿勢において車両内側に配置される。
【００２０】
なお、タイヤ径方向とは、タイヤ回転軸に垂直な方向であり、図において符号ＲＤで示す。タイヤ径方向内側ＲＤｉとはタイヤ回転軸に近づく方向であり、タイヤ径方向外側ＲＤｏとはタイヤ回転軸から離れる方向である。タイヤ幅方向とは、タイヤ回転軸に平行な方向であり、図において符号ＷＤで示す。タイヤ幅方向内側ＷＤｉとはタイヤ赤道面ＣＬに近づく方向であり、タイヤ幅方向外側ＷＤｏとはタイヤ赤道面ＣＬから離れる方向である。タイヤ周方向とは、タイヤ回転軸を中心とした円周上の方向であり、図において矢印ＣＤで示す。
【００２１】
ビード部１には、ゴム被覆したビードワイヤを積層巻回した収束体よりなる環状のビードコア１１が埋設されている。そのビードコア１１のタイヤ径方向外側ＲＤｏには、ビードフィラー１２が配置されている。
【００２２】
空気入りタイヤは、一対のビード部１間に跨がってトロイダル状に延びるカーカス層４を備える。カーカス層４は、トレッド部３から両側のサイドウォール部２を経てビード部１に至り、ビード部１においてビードコア１１の周りにタイヤ幅方向内側ＷＤｉから外側ＷＤｏに折り返されることにより、カーカス層４の両端部が係止されている。カーカス層４は、有機繊維コードからなるカーカスコードをタイヤ周方向ＣＤに対して実質上直角になるように配列しゴムで被覆してなる少なくとも１枚のカーカスプライからなる。
【００２３】
サイドウォール部２では、カーカス層４の外側に、空気入りタイヤの外壁面を構成するサイドウォールゴム６が設けられている。サイドウォールゴム６のタイヤ径方向内側ＲＤｉには、少なくともリムフランジに接触する部分にリムストリップゴムを設けてもよい。
【００２４】
カーカス層４の内側には、空気入りタイヤＴの内周面を構成するインナーライナー部材５が設けられている。すなわち、インナーライナー部材５は、トレッド部３からその左右両側のサイドウォール部２を経てビード部１に至る、タイヤ内面の全体を覆うように設置されている。
【００２５】
トレッド部３では、カーカス層４の外周側にベルト７が設けられている。ベルト７は、スチールコードやアラミド繊維などのベルトコードをタイヤ周方向ＣＤに対して１０°〜３５°の傾斜角度で配列した、少なくとも２枚の交差ベルトプライからなる。ベルト７の外周側には、接地面を構成するトレッドゴム８が設けられている。
【００２６】
図２に示されるように、トレッド部３の表面には、タイヤ周方向ＣＤに延びる３本の周方向溝が、タイヤ幅方向ＷＤに間隔をおいて設けられている。３本の周方向溝は、タイヤ赤道面ＣＬに位置するセンター主溝３２と、最も車両外側に設けられた外側ショルダー主溝３３と、最も車両内側に設けられた内側ショルダー主溝３４である。本実施形態では、外側ショルダー主溝３３及び内側ショルダー主溝３４が、センター主溝３２のタイヤ幅方向外側ＷＤｏに設けられた一対のショルダー主溝である。
【００２７】
トレッド部３は、上記３本の周方向溝３２，３３，３４により形成された複数の陸部３６、３７、３８、３９を備える。
【００２８】
具体的には、トレッド部３は、センター主溝３２と外側ショルダー主溝３３との間に形成されたセンター陸部３６と、センター主溝３２と内側ショルダー主溝３４との間に形成されたセンター陸部３７と、外側ショルダー主溝３３と車両外側の接地端４０との間に形成された外側ショルダー陸部３８と、内側ショルダー主溝３４と車両内側の接地端４１との間に形成された内側ショルダー陸部３９とを備える。本実施形態では、外側ショルダー陸部３８及び内側ショルダー陸部３９が、一対のショルダー主溝３３，３４のタイヤ幅方向外側ＷＤｏに形成された一対のショルダー陸部である。
【００２９】
センター陸部３６，３７には、周方向溝３２，３３，３４に交差する方向に延びる複数の横溝４２がタイヤ周方向ＣＤに間隔をあけて設けられている。
【００３０】
車両外側の外側ショルダー陸部３８は、タイヤ周方向ＣＤに交差する方向に延びる複数のスリット４３と、タイヤ周方向ＣＤに交差する方向に延びる複数のサイプ４４と、複数の陸部要素４６ａ，４６ｂ，４６ｃ，４６ｄ，４６ｅを有する陸部要素列４７と、タイヤ周方向ＣＤに連続する連続部４５とを備える。
【００３１】
スリット４３は、一定の幅で車両外側の接地端４０からタイヤ幅方向内側ＷＤｉへ延び、外側ショルダー主溝３３へ貫通することなく、外側ショルダー陸部３８内で終端している。このようなスリット４３は、タイヤ周方向ＣＤに間隔を開けて複数設けられている。タイヤ周方向ＣＤに隣り合うスリット４３の間には陸部要素４６ａ，４６ｂ，４６ｃ，４６ｄ，４６ｅが形成されている。陸部要素４６ａ，４６ｂ，４６ｃ，４６ｄ，４６ｅは、タイヤ周方向ＣＤの一方で隣り合うスリット４３とで、陸部要素列４７を構成する繰り返し単位（１ピッチ）である繰り返し要素５５を構成する。
【００３２】
陸部要素列４７は、外側ショルダー陸部３８の接地端４０側において、ピッチ長（繰り返し要素５５ａ，５５ｂ，５５ｃ，５５ｄ，５５ｅのタイヤ周方向長さ）が異なる複数種類の繰り返し要素５５ａ，５５ｂ，５５ｃ，５５ｄ，５５ｅをタイヤ周方向ＣＤに所定のピッチ数（タイヤ１周分の繰り返し要素５５ａ，５５ｂ，５５ｃ，５５ｄ，５５ｅの総数）Ｎだけ並べることで構成されている。
なお、ピッチ長とは、図２に示すように、繰り返し要素のタイヤ周方向長さである。また、ピッチ数Ｎとは、外側ショルダー陸部３８又は内側ショルダー陸部３９におけるタイヤ1周分の繰り返し要素の総数である。
【００３３】
図２に示す例では、ピッチ長Ｐが異なる５種類の繰り返し要素から陸部要素列４７が構成されている。具体的には、ピッチ長が大きいものから順に、ピッチ長Ｐａの繰り返し要素５５ａ、ピッチ長Ｐｂの繰り返し要素５５ｂ、ピッチ長Ｐｃの繰り返し要素５５ｃ、ピッチ長Ｐｄの繰り返し要素５５ｄ及びピッチ長Ｐｅの繰り返し要素５５ｅから陸部要素列４７が構成されている。繰り返し要素５５ａが２つ、繰り返し要素５５ｂが２つ、繰り返し要素５５ｃが２つ、繰り返し要素５５ｄが２つ及び繰り返し要素５５ｅが４つタイヤ周方向ＣＤに並んだ図２に示すような要素列を１周期すると、外側ショルダー陸部３８は、この要素列がタイヤ周方向ＣＤに複数周期（例えば、４周期）繰り返し配置されている。
【００３４】
サイプ４４は、１〜４番目にピッチ長の長い繰り返し要素５５ａ，５５ｂ，５５ｃ，５５ｄを構成する陸部要素４６ａ，４６ｂ，４６ｃ，４６ｄに対して１つずつ設けられ、最もピッチ長の短い繰り返し要素５５ｅを構成する陸部要素４６ｅに設けられていない。
【００３５】
サイプ４４は、外側ショルダー陸部３８をタイヤ幅方向ＷＤに貫通することなく、タイヤ幅方向ＷＤの両端部が、外側ショルダー陸部３８内に配置されている。
【００３６】
また、サイプ４４のタイヤ幅方向内側端４４ａは、スリット４３のタイヤ幅方向内側端４３ａよりタイヤ幅方向内側ＷＤｉへ延びてもよい。その場合、サイプ４４のタイヤ幅方向内側端４４ａからスリット４３のタイヤ幅方向内側端４３ａまでのタイヤ幅方向ＷＤに沿った長さＣｏが３ｍｍ以上であることが好ましい。
【００３７】
連続部４５は、陸部要素列４７と外側ショルダー主溝３３との間に設けられている。連続部４５は、スリット４３やサイプ４４によって分断されることなく、タイヤ周方向ＣＤに連続して延びる陸部である。
【００３８】
このような連続部４５のタイヤ幅方向ＷＤに沿った長さ、つまり、サイプ４４のタイヤ幅方向内側端４４ａから内側ショルダー主溝３４までのタイヤ幅方向ＷＤに沿った長さＡｏと、トレッド部３の接地幅Ｗとの比σｏ（＝Ａｏ／Ｗ）が、０．０５以上０．１５以下であることが好ましい。
【００３９】
車両内側の内側ショルダー陸部３９は、タイヤ周方向ＣＤに交差する方向に延びる複数のスリット４８と、タイヤ周方向ＣＤに交差する方向に延びる複数のサイプ４９と、複数の陸部要素５１ａ、５１ｂ，５１ｃ，５１ｄ，５１ｅからなる陸部要素列５２と、タイヤ周方向ＣＤに連続する連続部５０とを備える。内側ショルダー陸部３９は、外側ショルダー陸部３８に設けられたサイプ４４の総数より多くのサイプ４９が設けられている点で外側ショルダー陸部３８と異なる。
【００４０】
すなわち、スリット４８は、一定の幅で車両内側の接地端４１からタイヤ幅方向内側ＷＤｉへ延び、内側ショルダー主溝３４へ貫通することなく、内側ショルダー陸部３９内で終端している。このようなスリット４８は、外側ショルダー陸部３８のスリット４３と同様、タイヤ周方向ＣＤに間隔を開けて複数設けられている。タイヤ周方向ＣＤに隣り合うスリット４８の間には陸部要素５１ａ、５１ｂ，５１ｃ，５１ｄ，５１ｅが形成されている。陸部要素５１ａ、５１ｂ，５１ｃ，５１ｄ，５１ｅは、タイヤ周方向ＣＤの一方で隣り合うスリット４８とで、陸部要素列５２を構成する繰り返し単位（１ピッチ）である繰り返し要素５６を構成する。
【００４１】
陸部要素列５２は、内側ショルダー陸部３９の接地端４１側において、ピッチ長が異なる複数種類の繰り返し要素５６ａ，５６ｂ，５６ｃ，５６ｄ，５６ｅをタイヤ周方向ＣＤに所定のピッチ数Ｎだけ並べることで構成されている。
【００４２】
図２に示す例では、外側ショルダー陸部３８の陸部要素列４７と同様、ピッチ長Ｐが異なる５種類の繰り返し要素から陸部要素列５２が構成されている。具体的には、ピッチ長が大きいものから順に、ピッチ長Ｐａの繰り返し要素５６ａ、ピッチ長Ｐｂの繰り返し要素５６ｂ、ピッチ長Ｐｃの繰り返し要素５６ｃ、ピッチ長Ｐｄの繰り返し要素５６ｄ及びピッチ長Ｐｅの繰り返し要素５６ｅから陸部要素列５２が構成されている。図２に示すような、繰り返し要素５６ａが２つ、繰り返し要素５６ｂが２つ、繰り返し要素５６ｃが２つ、繰り返し要素５６ｄが２つ及び繰り返し要素５６ｅが４つタイヤ周方向ＣＤに並んだ要素列を１周期すると、内側ショルダー陸部３９は、この要素列がタイヤ周方向ＣＤに複数周期（例えば、４周期）繰り返し配置されている。
【００４３】
サイプ４９は、１，２及び３番目にピッチ長の長い繰り返し要素５６ａ，５６ｂ，５６ｃを構成する陸部要素４６ａ，４６ｂ，４６ｃに対して２つずつ設けられ、最もピッチ長の短い繰り返し要素５６ｅと２番目にピッチ長の短い繰り返し要素５６ｄを構成する陸部要素４６ｅ，４６ｄに対して１つずつ設けられている。
【００４４】
サイプ４９は、内側ショルダー陸部３９をタイヤ幅方向ＷＤに貫通することなく、タイヤ幅方向ＷＤの両端部が、内側ショルダー陸部内３９に配置されている。
【００４５】
また、サイプ４９のタイヤ幅方向内側端４９ａは、スリット４８のタイヤ幅方向内側端４８ａよりタイヤ幅方向内側ＷＤｉへ延びてもよい。その場合、サイプ４９のタイヤ幅方向内側端４９ａからスリット４８のタイヤ幅方向内側端４８ａまでのタイヤ幅方向ＷＤに沿った長さＣｉが３ｍｍ以上であることが好ましい。
【００４６】
なお、本実施形態において、サイプ４９のタイヤ幅方向内側端４９ａからスリット４８のタイヤ幅方向内側端４８ａまでの長さＣｉは、サイプ４４のタイヤ幅方向内側端４４ａからスリット４３のタイヤ幅方向内側端４３ａまでの長さＣｏと同じ長さに設定されている。
【００４７】
連続部５０は、陸部要素列５２と内側ショルダー主溝３４との間に設けられている。連続部５０は、スリット４８やサイプ４９によって分断されることなく、タイヤ周方向ＣＤに連続して延びる陸部である。
【００４８】
このような連続部５０のタイヤ幅方向ＷＤに沿った長さ、つまり、サイプ４９のタイヤ幅方向内側端４９ａから内側ショルダー主溝３４までのタイヤ幅方向ＷＤに沿った長さＡｉと、トレッド部３の接地幅Ｗとの比σｉ（＝Ａｉ／Ｗ）が、０．０５以上０．１５以下であることが好ましい。
【００４９】
なお、本実施形態において、内側ショルダー陸部３９に設けられた連続部５０のタイヤ幅方向ＷＤに沿った長さＡｉは、外側ショルダー陸部３８に設けられた連続部４５のタイヤ幅方向ＷＤに沿った長さＡｏと同じ長さに設定されている。
【００５０】
以上のような本実施形態の空気入りタイヤでは、外側ショルダー陸部３８と内側ショルダー陸部３９との間でサイプ４４、４９の数が異なっているため、ピッチピークを分散させてピッチノイズを低減することができる。しかも、外側ショルダー陸部３８に設けられたサイプ４４の数が、内側ショルダー陸部３９に設けられたサイプ４９の数より少ないため、車両旋回時などに比較的大きさ荷重を受ける外側ショルダー陸部３８の剛性低下を抑えることができ、操縦安定性能を向上することができる。
【００５１】
また、本実施形態では、外側ショルダー陸部３８にピッチ長が異なる複数種類の繰り返し要素５５ａ，５５ｂ，５５ｃ，５５ｄ，５５ｅが設けられ、内側ショルダー陸部３９にピッチ長が異なる複数種類の繰り返し要素５６ａ，５６ｂ，５６ｃ，５６ｄ，５６ｅが設けられているため、ピッチノイズの周波数を分散することができそのピークを下げることができる。しかも、外側ショルダー陸部３８において、最もピッチ長の短い繰り返し要素５５ｅを構成する陸部要素４６ｅに設けられたサイプ４４の数が、最もピッチ長の長い繰り返し要素５５ａを構成する陸部要素４６ａに設けられたサイプ４４の数より少ない。内側ショルダー陸部３９も同様、最もピッチ長の短い繰り返し要素５６ｅを構成する陸部要素５１ｅに設けられたサイプ４９の数が、最もピッチ長の長い繰り返し要素５６ａを構成する陸部要素５１ａに設けられたサイプ４９の数より少ない。これにより、スリット４３，４８及びサイプ４４，４９がタイヤ周方向ＣＤにおいて局所的に集中することがなく、ショルダー陸部３８、３９の剛性低下を抑えることができ、ピッチノイズの低減と、操縦安定性能の確保とを両立することができる。
【００５２】
また、本実施形態では、外側ショルダー陸部３８及び内側ショルダー陸部３９が連続部４５，５０を備えているため、路面との接触面積を確保することができ、操縦安定性能及び制動性能を向上することができる。
【００５３】
しかも、連続部４５，５０は、サイプ４４、４９によるショルダー陸部３８、３９の剛性低下を抑えるため、ピッチノイズの低減を図るためにサイプ４４，４９の数を増やしてもショルダー陸部３８、３９の剛性低下を抑えることができる。そのため、ピッチノイズの低減と、操縦安定性能の確保とを両立することができる。
【００５４】
また、本実施形態のように、ショルダー陸部３８、３９に設けられたサイプ４４，４９のタイヤ幅方向内側端４４ａ、４９ａが、スリット４３、４８のタイヤ幅方向内側端４３ａ、４８ａよりタイヤ幅方向内側ＷＤｉへ延びている場合、ショルダー陸部３８の剛性をタイヤ幅方向内側ＷＤｉから外側ＷＤｏへ段階的に低下させることでき、ショルダー陸部３８、３９の接地性を改善することができる。特に、サイプ４４、４９のタイヤ幅方向内側端４４ａ、４９ａからスリット４３，４８のタイヤ幅方向内側端４３ａ，４８ａまでのタイヤ幅方向ＷＤに沿った長さＣｏ、Ｃｉが３ｍｍ以上であると、ショルダー陸部３８、３９の接地性を顕著に改善することができ、操縦安定性能を向上することができる。
【００５５】
（変更例）
上記の実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。
【００５６】
上記実施形態では、外側ショルダー陸部３８において、１〜４番目にピッチ長の長い繰り返し要素５５ａ，５５ｂ，５５ｃ，５５ｄを構成する陸部要素４６ａ，４６ｂ，４６ｃ，４６ｄに対してサイプ４４を１つずつ設け、最もピッチ長の短い繰り返し要素５５ｅを構成する陸部要素４６ｅにサイプ４４を設けない場合に説明したが、最もピッチ長の短い繰り返し要素５５ａを構成する陸部要素４６ａに設けられたサイプ４４の数が、最もピッチ長の長い繰り返し要素５５ｅを構成する陸部要素４６ｅに設けられたサイプ４４の数より少なければ、本発明において、各陸部要素４６ａ、４６ｂ，４６ｃ，４６ｄ，４６ｅに設けるサイプ４４の数は特に限定されない。
【００５７】
また、上記実施形態では、内側ショルダー陸部３９において、１，２及び３番目にピッチ長の長い繰り返し要素５６ａ，５６ｂ，５６ｃを構成する陸部要素４６ａ，４６ｂ，４６ｃに対して２つずつサイプ４９を設け、最もピッチ長の短い繰り返し要素５６ｅと２番目にピッチ長の短い繰り返し要素５６ｄを構成する陸部要素４６ｅ，４６ｄに対して１つずつサイプ４９を設ける場合に説明したが、外側ショルダー陸部３８と同様、最もピッチ長の短い繰り返し要素５６ａを構成する陸部要素５１ａに設けられたサイプ４９の数が、最もピッチ長の長い繰り返し要素５６ｅを構成する陸部要素５１ｅに設けられたサイプ４９の数より少なければ、本発明において、各陸部要素５１ａ、５１ｂ，５１ｃ，５１ｄ，５１ｅに設けるサイプ４９の数は特に限定されない。
【００５８】
例えば、タイヤ１周分のタイヤ周方向長さをピッチ数Ｎで除した長さを平均ピッチ長Ｌａとすると、平均ピッチ長Ｌａより長いピッチ長の繰り返し要素を構成する陸部要素に設けられたサイプ４４，４９の数より少ない数のサイプ４４，４９を、平均ピッチ長Ｌａより短いピッチ長の繰り返し要素を構成する陸部要素に設けてもよい。
【００５９】
また、上記実施形態では、外側ショルダー陸部３８及び内側ショルダー陸部３９が連続部４５，５０を備えている場合について説明したが、本発明はこれに限定されない。例えば、図３に示すように、外側ショルダー陸部３８及び内側ショルダー陸部３９に設けられたスリット４３，４８及びサイプ４４，４９がショルダー主溝３３，３４に連通して、外側ショルダー陸部３８及び内側ショルダー陸部３９に連続部が設けられていなくてもよい。あるいは、外側ショルダー陸部３８及び内側ショルダー陸部３９のいずれか一方に連続部４５，５０を設け、他方に連続部が設けられていなくてもよい。
【００６０】
また、上記実施形態では、３本の周方向溝をトレッド部３に設けた場合について説明したが、主溝の本数は３本には限定されず、例えば、４本や５本でもよい。
【００６１】
また、上記実施形態では、内側ショルダー陸部３９に設けられた連続部５０のタイヤ幅方向ＷＤに沿った長さＡｉを、外側ショルダー陸部３８に設けられた連続部４５のタイヤ幅方向ＷＤに沿った長さＡｏと同じ長さに設定したが、連続部５０の長さＡｉを連続部４５の長さＡｏより大きく設けてもよい。このように内側ショルダー陸部３９において連続部５０の長さＡｉを大きくすることで、内側ショルダー陸部３９の陸部要素４６ａ，４６ｂ，４６ｃ，４６ｄ，４６ｅに多くのサイプ４９を設けても、内側ショルダー陸部３９の剛性を確保しやすくなるため、ピッチノイズの低減と操縦安定性能の向上を図ることができる。
【００６２】
また、内側ショルダー陸部３９に設けられた連続部５０の長さＡｉを外側ショルダー陸部３８に設けられた連続部４５の長さＡｏより小さく設けてもよい。このように外側ショルダー陸部３８において連続部４５の長さＡｏを大きくすることで、外側ショルダー陸部３８の剛性を確保しやすくなり、操縦安定性能を向上することができる。
【００６３】
また、上記実施形態では、サイプ４９のタイヤ幅方向内側端４９ａからスリット４８のタイヤ幅方向内側端４８ａまでの長さＣｉを、サイプ４４のタイヤ幅方向内側端４４ａからスリット４３のタイヤ幅方向内側端４３ａまでの長さＣｏと同じ長さに設定したが、内側ショルダー陸部３９における長さＣｉを外側ショルダー陸部３８における長さＣｏより大きく設定したり、あるいは、内側ショルダー陸部３９における長さＣｉを外側ショルダー陸部３８における長さＣｏより小さく設定してもよい。
【実施例】
【００６４】
上記実施形態の効果を確認するために、実施例および比較例のタイヤ（タイヤサイズ：１９５／６５Ｒ１５、空気圧：２２０ｋＰａ、リムサイズ：１５Ｘ６．０）について、ノイズ性能及び操縦安定性能を評価した。
【００６５】
比較例１のタイヤは、図４に示すように、外側ショルダー陸部に設けられた複数の陸部要素の全てに１つずつサイプが設けられ、内側ショルダー陸部に設けられた複数の陸部要素の全てに２つずつサイプが設けられており、最もピッチ長の短い繰り返し要素を構成する陸部要素に設けられたサイプ数が、最もピッチ長の長い繰り返し要素を構成する陸部要素に設けられたサイプ数と同一である。なお、比較例１のその他の構成は実施例１と同一である。
【００６６】
実施例１〜５のタイヤは、基本的な構成は上記実施形態で説明した通りであり、下記表１に示すように各諸元を設定した。
【００６７】
各評価方法は以下の通りである。
【００６８】
・ノイズ性能：試作タイヤを試験車両に装着し、車室内運転席の耳の位置にマイクロフォンを設置し、乾燥状態の平坦なアスファルト路面を８０ｋｍ／ｈで走行した時の音圧を測定した。評価結果は測定値の逆数を用い、比較例１の値を１００とする指数で示した。指数が大きいほどロードノイズ低減効果が大きく良好である。
【００６９】
・操縦安定性能：試作タイヤを試験車両に装着し、実車による官能評価を行った。評価は、乾燥状態のハンドリング試験路（アスファルト舗装路）を走行し、連続したコーナーでの切り返し及びコーナリングを行ったときの車両の安定性を評価した。比較例１を１００とした指数で表示した。指数が大きいほど操縦安定性が良好であることを示す。
【００７０】
【表１】
2020093658.tif 000003
【００７１】
結果は、表１に示す通りである。比較例１に対して、最もピッチ長の短い繰り返し要素を構成する陸部要素に設けられたサイプの数が、最もピッチ長の長い繰り返し要素を構成する陸部要素に設けられたサイプの数より少なく設定された実施例１〜５では、ノイズ性能と操縦安定性能とを両立することができた。
【符号の説明】
【００７２】
１…ビード部、２…サイドウォール部、３…トレッド部、４…カーカス層、５…インナーライナー部材、６…サイドウォールゴム、７…ベルト、８…トレッドゴム、３２…センター主溝、３３…外側ショルダー主溝、３４…内側ショルダー主溝、３６…センター陸部、３７…センター陸部、３８…外側ショルダー陸部、３９…内側ショルダー陸部、４０…車両外側の接地端、４１…車両内側接地端、４２…横溝、４３…スリット、４４…サイプ、４５…連続部、４６…陸部要素、４７…陸部要素列、４８…スリット、４９…サイプ、５０…連続部、５１…陸部要素、５２…陸部要素列、５５…繰り返し要素、５６…繰り返し要素
【図１】
2020093658.tif 000004
【図２】
2020093658.tif 000005
【図３】
2020093658.tif 000006
【図４】
2020093658.tif 000007